(57)【要約】【課題】取付けが容易な照明装置を提供する。【解決手段】照明装置１０は、壁に背面部２２が固定される固定部材２１と、この固定部材２１に取付けられる照明用パネル１２とを有している。固定部材２１は、背面部２２の一主面に一対のパネル保持部２３，２４が形成されている。各パネル保持部２３，２４は、背面部２２の主面と直交する方向に沿って延設された支持部２３ａ，２４ａと、支持部２３ａ，２４ａの先端部に設けられた係合部２３ｂ，２４ｂとがそれぞれ設けられている。照明用パネル１２は、フレーム３０が、係合部２３ｂ，２４ｂの間から挿入され、背面部２２と、支持部２３ａ，２４ａ及び係合部２３ｂ，２４ｂとで囲まれた部分に収容保持される。【選択図】図２
2013149534.tif 000002
【特許請求の範囲】
【請求項１】
被取付け部に取付けられる照明装置であって、
前記被取付け部に取付けられる板状の背面部と、前記背面部の被取付け部とは反対側の主面に設けられる一対のパネル保持部とを有する固定部材と、
前記一対のパネル保持部により前記固定部材に保持され、有機ＥＬ素子の発光モジュールと、前記発光モジュールを保持するフレームとを有する照明用パネルと、
を備え、
前記一対のパネル保持部は、前記背面部の一主面と直交する方向に延びる支持部と、前記支持部に設けられる係合部とを有し、
前記一対の係合部は、相対向する方向に延びるように設けられ、
前記フレームの少なくとも一部は、前記一対のパネル保持部に設けられた前記係合部の間から、前記背面部と、前記一対の支持部及び係合部とで囲まれた部分に収容保持されることを特徴とする照明装置。
【請求項２】
前記一対のパネル保持部の一方の保持部の係合部と、前記一対のパネル保持部の他方の保持部の支持部との距離が、前記照明用パネルの大きさに応じて設定されたことを特徴とする請求項１に記載の照明装置。
【請求項３】
前記フレームは、板状の背面部と、前記背面部の一主面に設けられる一対の有機ＥＬ保持部とを有し、
前記一対の有機ＥＬ保持部は、前記フレームの背面部の一主面と直交する方向に延びる支持部と、前記支持部に設けられる係合部とを有し、
前記フレームに設けられた一対の係合部は、相対向する方向に延びるように設けられ、
前記発光モジュールは、前記フレームの背面部と、前記フレームの一対の支持部及び係合部とで保持され、
前記一対の有機ＥＬ保持部のそれぞれに前記固定部材の係合部が係合され、前記照明用パネルが前記固定部材に対して保持されることを特徴とする請求項１又は２に記載の照明装置。
【請求項４】
前記有機ＥＬ素子の発光面側に取付けられるカバー部材を備え、
前記カバー部材は、前記一対のパネル保持部の係合部にそれぞれ係合される一対の段差部が設けられたことを特徴とする請求項１〜３のいずれか一項に記載の照明装置。
【請求項５】
前記発光モジュールは、前記有機ＥＬ素子を有する板状の発光パネルと、前記発光パネルを保持する保護フレームとを備え、
前記保護フレームは、前記発光パネルの発光面側とは反対側の主面を覆う背面保護部と、前記背面保護部の一主面に設けられ前記発光パネルの形状に応じて設けられた側面保護部とを有し、
前記発光パネルが前記保護フレームの背面保護部及び側面保護部で形成される嵌合部に嵌め込まれて保持されることを特徴とする請求項１〜４のいずれか一項に記載の照明装置。
【請求項６】
前記固定部材は、前記背面部が平面視矩形状に形成され、前記一対のパネル保持部が前記背面部の第１方向の側縁部両側にそれぞれ形成され、
前記フレームは、前記背面部が平面視矩形状に形成され、前記一対の有機ＥＬ保持部が前記背面部の前記第１方向と平行な第２方向の側縁部両側にそれぞれ形成され、
前記一対のパネル保持部の一方の保持部の係合部と、前記一対のパネル保持部の他方の保持部の支持部との距離が、前記フレームの背面部における前記第２方向と直交する第３方向の長さに応じて設定されたことを特徴とする請求項３に記載の照明装置。
【請求項７】
被取付け部に取付けられた固定部材に保持される照明用パネルであって、
有機ＥＬ素子を有する発光モジュールと、
板状の背面部と、前記背面部の一主面に設けられ前記発光モジュールを保持する一対の有機ＥＬ保持部とを有するフレームと、
を備え、
前記フレームの背面部の大きさが、前記固定部材に設けられ前記フレームを保持する一対のパネル保持部間の距離に応じて設定されたことを特徴とする照明用パネル。
【発明の詳細な説明】
【技術分野】
【０００１】
本発明は、照明装置及び照明用パネルに関するものである。
【背景技術】
【０００２】
従来、有機エレクトロルミネッセンス素子（有機ＥＬ素子）を有する発光モジュールを用いた照明装置は、室内の照明等の用途に提案されている。このような照明装置として、発光モジュールが取付けられた導光体を、取付ユニットを用いて天井（被取付け部）から吊り下げて室内等を照らすように構成したものがある（例えば、特許文献１参照）。
【先行技術文献】
【特許文献】
【０００３】
【特許文献１】特開２０１１−１５４８７２号公報
【発明の概要】
【発明が解決しようとする課題】
【０００４】
ところで、上記したような照明装置では、天井に直接取付けたり、室内の壁や床等に取付けることが考えられる。このような様々な場所に取付けられる照明装置において、発光モジュールが容易に取付けできる構成の照明装置が求められている。
【０００５】
本発明は、上記課題を解決するためになされたものであって、その目的は、取付けが容易な照明装置及び照明用パネルを提供することにある。
【課題を解決するための手段】
【０００６】
上記課題を解決するために、本発明の照明装置は、被取付け部に取付けられる照明装置であって、前記被取付け部に取付けられる板状の背面部と、前記背面部の被取付け部とは反対側の主面に設けられる一対のパネル保持部とを有する固定部材と、前記一対のパネル保持部により前記固定部材に保持され、有機ＥＬ素子の発光モジュールと、前記発光モジュールを保持するフレームとを有する照明用パネルと、を備え、前記一対のパネル保持部は、前記背面部の一主面と直交する方向に延びる支持部と、前記支持部に設けられる係合部とを有し、前記一対の係合部は、相対向する方向に延びるように設けられ、前記フレームの少なくとも一部は、前記一対のパネル保持部に設けられた前記係合部の間から、前記背面部と、前記一対の支持部及び係合部とで囲まれた部分に収容保持される。
【０００７】
この照明装置において、前記一対のパネル保持部の一方の保持部の係合部と、前記一対のパネル保持部の他方の保持部の支持部との距離が、前記照明用パネルの大きさに応じて設定されることが好ましい。
【０００８】
この照明装置において、前記フレームは、板状の背面部と、前記背面部の一主面に設けられる一対の有機ＥＬ保持部とを有し、前記一対の有機ＥＬ保持部は、前記フレームの背面部の一主面と直交する方向に延びる支持部と、前記支持部に設けられる係合部とを有し、前記フレームに設けられた一対の係合部は、相対向する方向に延びるように設けられ、前記発光モジュールは、前記フレームの背面部と、前記フレームの一対の支持部及び係合部とで保持され、前記一対の有機ＥＬ保持部のそれぞれに前記固定部材の係合部が係合され、前記照明用パネルが前記固定部材に対して保持されることが好ましい。
【０００９】
この照明装置において、前記有機ＥＬ素子の発光面側に取付けられるカバー部材を備え、前記カバー部材は、前記一対のパネル保持部の係合部にそれぞれ係合される一対の段差部が設けられることが好ましい。
【００１０】
この照明装置において、前記発光モジュールは、前記有機ＥＬ素子を有する板状の発光パネルと、前記発光パネルを保持する保護フレームとを備え、前記保護フレームは、前記発光パネルの発光面側とは反対側の主面を覆う背面保護部と、前記背面保護部の一主面に設けられ前記発光パネルの形状に応じて設けられた側面保護部とを有し、前記発光パネルが前記保護フレームの背面保護部及び側面保護部で形成される嵌合部に嵌め込まれて保持されることが好ましい。
【００１１】
この照明装置において、前記固定部材は、前記背面部が平面視矩形状に形成され、前記一対のパネル保持部が前記背面部の第１方向の側縁部両側にそれぞれ形成され、前記フレームは、前記背面部が平面視矩形状に形成され、前記一対の有機ＥＬ保持部が前記背面部の前記第１方向と平行な第２方向の側縁部両側にそれぞれ形成され、前記一対のパネル保持部の一方の保持部の係合部と、前記一対のパネル保持部の他方の保持部の支持部との距離が、前記フレームの背面部における前記第２方向と直交する第３方向の長さに応じて設定されることが好ましい。
【００１２】
また、本発明の照明用パネルは、被取付け部に取付けられた固定部材に保持される照明用パネルであって、有機ＥＬ素子を有する発光モジュールと、板状の背面部と、前記背面部の一主面に設けられ前記発光モジュールを保持する一対の有機ＥＬ保持部とを有するフレームと、を備え、前記フレームの背面部の大きさが、前記固定部材に設けられ前記フレームを保持する一対のパネル保持部間の距離に応じて設定されることが好ましい。
【発明の効果】
【００１３】
本発明によれば、取付けが容易な照明装置及び照明用パネルを提供することができる。
【図面の簡単な説明】
【００１４】
【図１】一実施形態における照明装置が設置された部屋の概略構成図。
【図２】照明装置の分解斜視図。
【図３】発光モジュールの斜視図。
【図４】（ａ）は発光パネルの背面図、（ｂ）は一部概略断面図。
【図５】（ａ）は照明装置の側面図、（ｂ）は壁に設置された照明装置の平断面図。
【図６】発光モジュールの接続状態を示す模式図。
【図７】別例における照明装置が設置された天井の外観を示す概略構成図。
【発明を実施するための形態】
【００１５】
以下、一実施形態を図１〜図６に従って説明する。尚、添付図面は、構造の概略を説明するためのものであり、実際の大きさを表していない。
図１に示すように、照明装置１０は、例えば、室内を照らす照明装置として用いるものであり、壁１１ａの一主面に取付けられている。壁１１ａは、構造体１１ｂを有する。構造体１１ｂの両側面には、壁部材１１ｃ（例えば、石膏ボード）がそれぞれ設けられている。壁部材１１ｃの厚さは、例えば１２ｍｍである。一対の壁部材１１ｃは、床１１ｄに対して立設され、一方の壁部材１１ｃには照明装置１０の一部が埋設されるようにして固定されている。
【００１６】
図２に示すように、照明装置１０は、図１の壁部材１１ｃに固定される固定部材２１と、固定部材２１に対して脱着可能な照明用パネル１２とを有している。固定部材２１は、略長方形板状に形成された背面部２２と、背面部２２の長手方向の側縁部両側に形成された一対のパネル保持部２３，２４とを有している。固定部材２１の材料は、例えば、ステンレス鋼（ＳＵＳ）である。背面部２２には、長手方向において一端側（図中において右側）中央部に平面視矩形状（図中において平面視長方形状）の切欠き部２２ａが形成されている。また、背面部２２には、短手方向の中央部において長手方向に沿って等間隔に３つの固定孔２２ｂが形成されている。この固定孔２２ｂには、固定部材２１を壁部材１１ｃに固定する固定ネジ５２（図５（ｂ）参照）が挿通される。
【００１７】
パネル保持部２３は、背面部２２の短手方向端部において主面と直交する方向に沿って延設された支持部２３ａと、支持部２３ａの先端部に設けられた係合部２３ｂとを有している。支持部２３ａは、背面部２２の主面と直交する方向の長さが、例えば５．６ｍｍである。また、支持部２３ａは、背面部２２の長手方向における両端部まで形成されている。係合部２３ｂは、支持部２３ａの延設方向に対して直交方向に沿って延びるように形成され、対向するパネル保持部２４側に向かって形成されている。また、パネル保持部２４は、パネル保持部２３と同様に、支持部２４ａが背面部２２の長手方向における両端部まで形成され、支持部２４ａの先端部に設けられた係合部２４ｂが係合部２３ｂと互いに対向するように形成されている。従って、固定部材２１の側縁部両側には、背面部２２とパネル保持部２３，２４とで長手方向に沿った溝部分が設けられている。照明用パネル１２は、この溝部分に対して取付けられる。
【００１８】
照明用パネル１２は、略直方体状に形成され、フレーム３０と、フレーム３０内に収容される複数の発光モジュール４０と、カバー部材３１とを有している。フレーム３０は、略長方形板状に形成された背面部３２と、背面部３２の長手方向の側縁部両側に形成された一対の有機ＥＬ保持部３３，３４とを有している。フレーム３０の材料は、例えば、ステンレス鋼（ＳＵＳ）である。背面部３２は、短手方向の長さＬ１が、固定部材２１の一方のパネル保持部２３の係合部２３ｂの先端部と、他方のパネル保持部２４の支持部２４ａとの背面部２２の主面と平行な方向における距離Ｌ２に比べて若干長くなるように設定されている（図５（ａ）参照）。また、背面部３２には、長手方向において一端側（図中において右側）中央部に平面視矩形状の切欠き部３２ａが形成されている。切欠き部３２ａは、固定部材２１の切欠き部２２ａと同一形状をなしている。この切欠き部２２ａ，３２ａは、発光モジュール４０を外部電源と接続する配線１４を配設するための溝である。
【００１９】
有機ＥＬ保持部３３は、背面部３２の短手方向端部において主面と直交する方向に沿って延設された支持部３３ａと、支持部３３ａの先端部に設けられた係合部３３ｂとを有している。支持部３３ａは、背面部３２の主面と直交する方向の長さが、例えば５．５ｍｍである。また、支持部３３ａは、背面部３２の長手方向における両端部まで形成されている。係合部３３ｂは、支持部３３ａの延設方向に対して直交方向に沿って延びるように形成され、対向する有機ＥＬ保持部３４側に向かって形成されている。また、有機ＥＬ保持部３４は、有機ＥＬ保持部３３と同様に、支持部３４ａが背面部３２の長手方向における両端部まで形成され、支持部３４ａの先端部に設けられた係合部３４ｂが係合部３３ｂと互いに対向するように形成されている。従って、フレーム３０の側縁部両側には、背面部３２と有機ＥＬ保持部３３，３４とで長手方向に沿った溝部分が設けられている。そして、発光モジュール４０は、この溝部分に対して長手方向の一端から挿入されて背面部３２上に配設されている。尚、フレーム３０の係合部３３ｂ，３４ｂは、固定部材２１の係合部２３ｂ，２４ｂに比べて短手方向の長さが長く形成されている。
【００２０】
発光モジュール４０は、フレーム３０の長手方向に沿って複数（本実施形態では５つ）配設され、互いに直列に接続されている。各発光モジュール４０は、フレーム３０の長手方向において一端側に設けられた配線１４に電気的に接続されている。配線１４には、発光モジュール４０に電力を供給する駆動回路１５（整流回路）が設けられ、外部電源からの電力が駆動回路１５により変換され発光モジュール４０の有機ＥＬ素子に供給される。
【００２１】
図３に示すように、発光モジュール４０は、発光パネル４１と、発光パネル４１が取付けられる保護フレーム４２とを有する。図４（ａ）に示すように、発光パネル４１は、平面視長方形状の透明基板４３を有している。この透明基板４３の一主面には、平面視正方形状のカバーガラス４４が、例えば非導電性接着剤により固着されている。カバーガラス４４は、透明基板４３の一主面に形成された有機ＥＬ素子４５を封止する封止部材である。この発光パネル４１は、透明基板４３の主面のうち、カバーガラス４４が固着されていない面を光出射面（発光面）として用いる面状の発光素子として構成されている。透明基板４３は例えばガラス基板である。尚、透明基板４３にガラス基板以外、例えば透明な樹脂フィルム基板を用いても良い。
【００２２】
また、透明基板４３の一主面には、有機ＥＬ素子４５に対して給電するための接続基板４６，４７が配設されている。平面視正方形状のカバーガラス４４の一辺の長さは、平面視長方形状の透明基板４３の短辺の長さと等しく設定されている。カバーガラス４４は、透明基板４３の長手方向中央に固着されている。従って、透明基板４３の長手方向両端は、カバーガラス４４から露出している。そして、接続基板４６，４７は、透明基板４３の一主面において、カバーガラス４４から露出した部分に配置されている。接続基板４６，４７は、透明基板４３の辺（短辺）に沿って延びるように形成されている。
【００２３】
図４（ｂ）に示すように、接続基板４６は、導電性を有する接続部材（例えば、異方導電性フィルム（ＡＣＦ：Anisotropic Conductive Film））４８により透明基板４３の一主面に圧着されている。尚、図示しないが、同様に、接続基板４７は、導電性を有する接着剤により透明基板４３の一主面に圧着されている。
【００２４】
図４（ａ）及び図４（ｂ）に示すように、接続基板４６の一主面（非接着面）には、複数（図において５つ）の接続端子４６ａが形成されている。各接続端子４６ａは、有機ＥＬ素子４５の陽極及び陰極（共に図示略）にそれぞれ接続されている。同様に、接続基板４７の一主面（非接着面）には、複数（図において５つ）の接続端子４７ａが形成されている。そして、各接続端子４６ａは、有機ＥＬ素子４５の陽極及び陰極にそれぞれ接続されている。
【００２５】
図３に示すように、保護フレーム４２は、略長方形状に形成された背面保護部４２ａを有している。背面保護部４２ａは、発光パネル４１の透明基板４３とほぼ同じ大きさに形成されている。背面保護部４２ａの一主面には、各辺の端部部分において背面保護部４２ａの主面と直交する方向に沿って形成された側面保護部４２ｂ，４２ｃが形成されている。側面保護部４２ｂは、対向する一対の辺それぞれに形成され、各辺に沿って延びるように両端部分まで形成されている。また、側面保護部４２ｃは、側面保護部４２ｂとは異なる一対の辺それぞれに形成され、各辺に沿って延びるように形成されている。従って、背面保護部４２ａの一主面には、側面保護部４２ｂ，４２ｃで囲まれた平面視長方形状の嵌合部４９が形成されている。この嵌合部４９は、発光パネル４１とほぼ同じ大きさに形成されている。発光パネル４１は、カバーガラス４４が背面保護部４２ａ側（発光面が開口部側）となるようにして嵌合部４９に嵌合され、保護フレーム４２に取付けられている。
【００２６】
また、透明基板４３は、接続基板４６，４７が形成された辺が側面保護部４２ｂ側となるように取付けられる。取付けられた透明基板４３の接続基板４６，４７と背面保護部４２ａとは離間している（図３拡大図参照）。側面保護部４２ｃは、各辺の両端部分において側面保護部４２ｂと離間しており、側面保護部４２ｂ，４２ｃの間には溝部４２ｄがそれぞれ形成されている。上記した配線１４は、この溝部４２ｄを介して接続基板４６，４７と背面保護部４２ａとが離間した部分に配設され、所定の接続端子４６ａ，４７ａと、例えば、はんだにより互いに接続されている。複数の発光モジュール４０は、互いに接続された状態でフレーム３０の背面部３２と有機ＥＬ保持部３３，３４とで構成される溝部分に挿入されている（図２参照）。
【００２７】
図５（ａ）に示すように、複数の発光モジュール４０は、フレーム３０の係合部３３ｂ，３４ｂが透明基板４３の接続基板４６，４７に対応する部分（非発光部分）と係合している。また、フレーム３０は、有機ＥＬ保持部３３，３４の一部がパネル保持部２３，２４内に収容され、係合部２３ｂ，２４ｂと係合している。取付けられたフレーム３０及び発光モジュール４０の発光面側には、カバー部材３１が取付けられる。カバー部材３１の材料は、例えば、半透明なプラスチックである。図２に示すように、カバー部材３１は、略長方形板状に形成され、発光モジュール４０（有機ＥＬ素子４５）の発光部分の位置に応じた開口部３５が長手方向に沿って複数（本実施形態では５個）形成されている。開口部３５は、発光モジュール４０の発光部分に応じた平面視正方形状に形成されている。カバー部材３１には、開口部３５間に長手方向の側縁部両側を接続する連結部３６がそれぞれ形成されている。連結部３６を含むカバー部材３１は、開口部３５が発光モジュール４０側から外側（図２において上側）に向かうに従って広がるように形成されている（図５（ｂ）参照）。
【００２８】
図２及び図５（ａ）に示すように、カバー部材３１のフレーム３０と対向する内側面３７側には、側縁部両側に段差部３８，３９がそれぞれ形成されている。段差部３８は、複数の段差部分（本実施形態では２つ）を有し、カバー部材３１の短手方向外側から第１段差部３８ａ、第２段差部３８ｂの順に形成されている。第１段差部３８ａは、パネル保持部２３の係合部２３ｂに応じた形状をなしている。第２段差部３８ｂは、有機ＥＬ保持部３３の係合部３３ｂに応じた形状をなしている。そして、カバー部材３１は、開口部３５が発光モジュール４０の発光部分の位置となるようにして、係合部３３ｂの発光面側の主面に第１段差部３８ａの底面が、例えば接着固定される。取付け後の照明装置１０は、固定部材２１、フレーム３０及び発光モジュール４０の境界部分がカバー部材３１によりそれぞれ覆われている。第１段差部３８ａは、短手方向において係合部２３ｂに係合している。また、第２段差部３８ｂは、短手方向において係合部３３ｂに係合している。尚、第１及び第２段差部３９ａ，３９ｂが形成された段差部３９は、段差部３８と同一の構造であるため説明を省略する。
【００２９】
次に、照明装置１０の取付け方法の一例と、照明装置１０の作用について説明する。
照明装置１０は、図５（ｂ）に示すように、壁１１ａ（壁部材１１ｃ）に固定された固定部材２１に対して照明用パネル１２を取付ける。詳述すると、壁部材１１ｃには、照明装置１０の形状に応じた凹部５１が形成されている。固定部材２１は、背面部２２に設けられた各固定孔２２ｂに開口部側から挿通された固定ネジ５２により凹部５１の底部５１ａに固定され、壁部材１１ｃに埋設されるようにして固定される。
【００３０】
次に、凹部５１内に埋設して固定された固定部材２１に対して照明用パネル１２を固定部材２１の開口部側から装着させる。詳述すると、フレーム３０は、背面部３２の短手方向の長さＬ１が、固定部材２１の一方のパネル保持部２３の係合部２３ｂの先端部と、他方のパネル保持部２４の支持部２４ａとの背面部２２の主面と平行な方向における距離Ｌ２に比べて若干長くなるように設定されている（図５（ａ）参照）。従って、例えば、フレーム３０の一方の有機ＥＬ保持部３３をパネル保持部２３の内側に嵌め込んだ状態で照明用パネル１２を固定部材２１に対して押し込むようにして装着させる。これにより、フレーム３０（背面部３２）の一部が撓むことで、有機ＥＬ保持部３３，３４がパネル保持部２３，２４にそれぞれ嵌め込まれ、照明用パネル１２が固定部材２１に装着される。つまり、照明用パネル１２のフレーム３０は、係合部２３ｂ，２４ｂの間から挿入され、背面部２２と、支持部２３ａ，２４ａ及び係合部２３ｂ，２４ｂとで囲まれた部分に収容保持される。このような構成の照明装置１０では、壁１１ａ等に対して発光モジュール４０（有機ＥＬ素子４５）を容易に取付けることができる。
【００３１】
また、固定孔２２ｂは、固定ネジ５２の略円錐形状の頭部５２ａに応じたに形状をなし、固定された固定ネジ５２の頭部５２ａの上面と背面部２２の主面とが面一となるように構成されている。これにより、フレーム３０の背面部３２を固定部材２１の背面部２２に当接させて固定することができ、照明用パネル１２（発光モジュール４０）のがたつきを軽減することができる。
【００３２】
また、図５（ａ）に示すように、フレーム３０は、有機ＥＬ保持部３３，３４のパネル保持部２３，２４内に収容された部分に係合部２３ｂ，２４ｂが係合されている。これにより、照明用パネル１２（フレーム３０）は、固定部材２１に対して背面部２２の主面と直交する方向（図中において上下方向）に対する移動が規制される。また、カバー部材３１は、第１段差部３８ａ，３９ａがフレーム３０の係合部３３ｂ，３４ｂに接着固定されるとともに、パネル保持部２３，２４の係合部２３ｂ，２４ｂと係合している。これにより、フレーム３０は、固定部材２１に対して短手方向（図５（ａ）において左右方向）への移動が規制され、発光モジュール４０の位置ずれが低減される。尚、カバー部材３１は、フレーム３０を固定部材２１に装着した後に、フレーム３０に対して取付けてもよい。
【００３３】
また、図５（ｂ）に示すように、フレーム３０の長手方向端部と、その長手方向の両端それぞれに設けられた発光モジュール４０には、凹部５１の側面５１ｂがそれぞれ当接される。これにより、フレーム３０及び発光モジュール４０は、固定部材２１の長手方向（図５（ｂ）において左右方向）に対する移動が規制され、照明用パネル１２が固定部材２１に対して固定される。つまり、フレーム３０及び発光モジュール４０が固定部材２１を介して壁部材１１ｃに対して固定される。従って、照明装置１０は、壁部材１１ｃに固定された固定部材２１に対して開口部側（発光面側）から照明用パネル１２を取付けて固定することができる。
【００３４】
尚、照明用パネル１２の取り外しについては、例えば、固定部材２１の係合部２３ｂと、フレーム３０の係合部３３ｂとの間に取り外しのための器具（例えば板厚の薄い金属部材）等を挿入してフレーム３０を固定部材２１から引き出す様に操作することで容易に取り外すことができる。
【００３５】
そして、発光モジュール４０に接続された配線１４は、フレーム３０及び固定部材２１に設けられた切欠き部２２ａ，３２ａを通じて壁１１ａ内に配設される。例えば、図６に示すように、照明装置１０は、各発光パネル４１の接続基板４６，４７に設けられた接続端子４６ａ，４７ａ（陽極側端子及び陰極側端子）が外部配線５３により互いに接続され、有機ＥＬ素子４５が直列に接続されている。尚、外部配線５３は、各発光モジュール４０の保護フレーム４２の溝部４２ｄ（図３参照）を介して配設される。直列に接続された発光モジュール４０の両端（図中の左右両端）に設けられた発光パネル４１は、接続端子４６ａ，４７ａが配線１４を介して駆動回路１５の陽極側及び陰極側にそれぞれ接続されている。駆動回路１５は、例えば、商用電源５４（外部電源）に接続されている。そして、照明装置１０は、商用電源５４からの電力が駆動回路１５により変換され各発光パネル４１に供給されることで、有機ＥＬ素子４５が発光するように構成されている。
【００３６】
この実施形態は、以下の効果を奏する。
（１）本実施形態の照明装置１０は、壁部材１１ｃ（被取付け部）に背面部２２が固定される固定部材２１と、この固定部材２１に取付けられる照明用パネル１２とを有している。固定部材２１は、背面部２２の一主面に一対のパネル保持部２３，２４が形成されている。各パネル保持部２３，２４は、背面部２２の短手方向端部において主面と直交する方向に沿って延設された支持部２３ａ，２４ａと、支持部２３ａ，２４ａの先端部に設けられ相対向する方向に沿って延びるように形成された係合部２３ｂ，２４ｂとがそれぞれ設けられている。照明用パネル１２は、有機ＥＬ素子４５を有する発光モジュール４０がフレーム３０により保持されている。そして、フレーム３０は、係合部２３ｂ，２４ｂの間から挿入され、背面部２２と、支持部２３ａ，２４ａ及び係合部２３ｂ，２４ｂとで囲まれた部分に収容保持される。このような構成では、固定部材２１に対して開口部側（発光面側）からフレーム３０の取付けが可能となり、壁１１ａ等に対して照明用パネル１２（発光モジュール４０）を容易に取付けることができる。
【００３７】
また、照明用パネル１２の取り外しについても、係合部２３ｂ，３３ｂ間に取り外しのための器具等を挿入してフレーム３０を固定部材２１から引き出す様に操作することで容易に取り外すことができる。
【００３８】
（２）照明用パネル１２（フレーム３０）は、背面部３２の短手方向の長さＬ１が、固定部材２１の一方のパネル保持部２３の係合部２３ｂの先端部と、他方のパネル保持部２４の支持部２４ａとの背面部２２の主面と平行な方向における距離Ｌ２に比べて若干長くなるように設定されている（図５（ａ）参照）。これにより、照明用パネル１２を、固定部材２１の開口部側から押し込むようにして取付けることが可能となり、照明用パネル１２を容易に取付けることができる。
【００３９】
（３）照明用パネル１２のフレーム３０は、板状の背面部３２と、背面部３２の一主面に設けられる一対の有機ＥＬ保持部３３，３４とが設けられている。各有機ＥＬ保持部３３，３４は、背面部３２の短手方向端部において主面と直交する方向に沿って延設された支持部３３ａ，３４ａと、支持部３３ａ，３４ａの先端部に設けられ相対向する方向に沿って延びるように形成された係合部３３ｂ，３４ｂとがそれぞれ設けられている。発光モジュール４０は、フレーム３０の背面部３２と、支持部３３ａ，３４ａ及び係合部３３ｂ，３４ｂとで保持されている。有機ＥＬ保持部３３，３４のそれぞれには、係合部２３ｂ，２４ｂが係合され、照明用パネル１２が固定部材２１に対して保持されている。これにより、背面部２２の主面と直交する方向に対する照明用パネル１２の移動を規制することができ、発光モジュール４０の位置ずれが低減できる。
【００４０】
（４）照明装置１０は、有機ＥＬ素子４５の発光面側にカバー部材３１が設けられている。カバー部材３１には、内側面３７側に係合部２３ｂ，２４ｂ（パネル保持部２３，２４）の形状に応じた第１段差部３８ａ，３９ａ（段差部３８，３９）が形成されている。カバー部材３１は、第１段差部３８ａ，３９ａが係合部３３ｂ，３４ｂのそれぞれに接着固定され、係合部２３ｂ，２４ｂに係合されている。これにより、固定部材２１の短手方向に対する照明用パネル１２（フレーム３０）の移動を規制することができ、発光モジュール４０の位置ずれが低減できる。
【００４１】
（５）カバー部材３１には、発光モジュール４０（有機ＥＬ素子４５）の発光部分に応じた開口部３５が形成されている。取付け後の照明装置１０は、固定部材２１、フレーム３０及び発光モジュール４０の境界部分がカバー部材３１によりそれぞれ覆われている。これにより、発光部分以外をカバー部材３１により覆うことで、照明装置１０の意匠性を高めることができる。
【００４２】
（６）発光モジュール４０は、有機ＥＬ素子４５を有する板状の発光パネル４１と、発光パネル４１を保持する保護フレーム４２とを有している。保護フレーム４２は、発光パネル４１の発光面側とは反対側の主面を覆う背面保護部４２ａと、背面保護部４２ａの一主面に形成され発光パネル４１の周囲を囲む側面保護部４２ｂ，４２ｃとを有している。そして、発光パネル４１は、背面保護部４２ａと側面保護部４２ｂ，４２ｃとで囲まれた嵌合部４９に嵌め込まれている。これにより、発光パネル４１に加わる負荷を軽減して発光パネル４１をフレーム３０に対して直接的に取付けることができる。
【００４３】
このような構成では、フレーム３０の厚さを発光パネル４１とほぼ同じ厚さとすることができ、照明装置１０の厚さを薄くすることができる。結果として、厚さが例えば５．６ｍｍのフレーム３０を、厚さが例えば１２ｍｍの壁部材１１ｃ内に収まるように取付けることができ、壁１１ａ内に配設される電気配線等の配置に関係なく照明装置１０を壁１１ａに取付けることが可能となる。
【００４４】
（７）固定部材２１は、背面部２２が平面視長方形状に形成され、パネル保持部２３，２４が背面部２２の長手方向（第１方向）の側縁部両側に形成されている。一方で、フレーム３０は、背面部３２が平面視長方形状に形成され、有機ＥＬ保持部３３，３４が背面部３２の長手方向（第２方向）の側縁部両側に形成されている。そして、背面部３２の短手方向（第３方向）の長さＬ１は、固定部材２１の一方のパネル保持部２３の係合部２３ｂの先端部と、他方のパネル保持部２４の支持部２４ａとの背面部２２の主面と平行な方向における距離Ｌ２に比べて若干長くなるように設定されている。これにより、固定部材２１に対してフレーム３０の取付けが可能な照明装置１０を容易に構成することができる。
【００４５】
（８）固定部材２１及びフレーム３０には、長手方向の一端部に切欠き部２２ａ，３２ａがそれぞれ形成されており、発光モジュール４０の配線１４を固定部材２１の背面側に容易に配設することができる。また、配線１４を背面側に配設することで、照明装置１０を長手方向に沿って隣接して配置することが可能となる。
【００４６】
（９）固定部材２１の固定孔２２ｂは、固定ネジ５２の頭部５２ａに応じた形状をなし、固定された固定ネジ５２の頭部５２ａの上面と背面部２２の主面とが面一となるように構成されている。これにより、フレーム３０の背面部３２を固定部材２１の背面部２２に当接させて固定することができ、照明用パネル１２（発光モジュール４０）のがたつきを軽減することができる。
【００４７】
（１０）照明用パネル１２には、複数の発光モジュール４０が設けられており、照明用パネル１２を固定部材２１に対して取付けることで、一度に複数の発光モジュール４０の取付けができる。
【００４８】
（１１）照明装置１０は、壁部材１１ｃ（被取付け部）に固定される固定部材２１と、この固定部材２１に取付けられる照明用パネル１２とに分けて構成されている。固定部材２１は、固定ネジ５２により壁部材１１ｃに固定されている。また、照明用パネル１２は、発光モジュール４０と商用電源５４（外部電源）との電気的接続が施され、固定部材２１に嵌め込まれる。つまり、照明装置１０を、機械的な取付け作業を行う固定部材２１と、電気的な接続を行う照明用パネル１２とに分けたことにより、照明装置１０の取付け作業の効率化を図ることができる。
【００４９】
（１２）発光パネル４１は、接続基板４６，４７の接続端子４６ａ，４７ａが配線１４とはんだにより互いに接続されている。従って、故障や配色の変更等により発光パネル４１を交換する場合に、個々の発光パネル４１を容易に交換することができる。
【００５０】
尚、本発明の実施形態は、以下のように変更してもよい。
・上記実施形態において、照明用パネル１２は、発光モジュール４０を、１個、又は５以外の複数個備えた構成としてもよい。
【００５１】
・上記実施形態では、照明装置１０を一つ設けた構成としたが、例えば、図７に示すように、複数の照明装置を配設した構成としてもよい。図７に示す照明装置６１は、室内の天井６２に設けられた梁６３の一主面上に、複数の照明装置６１が長手方向に沿って隣接して配設されている。このような構成では、例えば、複数の照明装置６１の内の一つ（例えば、照明装置６１に挟まれた任意の照明装置６１ａ）の発光色を変えたい場合には、その照明装置６１ａの照明用パネル１２（発光モジュール４０）を発光面側から交換することで変更できる。尚、複数の照明装置６１の配設は、直線状に限らず、曲線状、環状、多角形状等に配設してもよい。また、複数の照明装置６１を所定の角度で交差させた構成としてもよい。
【００５２】
また、図７に示す構成では、固定部材２１（照明装置６１）が埋設されずに、梁６３の一主面上に固定されている。このような固定態様においては、固定部材２１の長手方向に対する照明用パネル１２の移動を規制するために、例えば、固定部材２１の長手方向端部を覆うカバー部材設ける、又は固定部材２１にフレーム３０が係止するストッパを設ける等の構成に変更してもよい。また、フレーム３０と固定部材２１とを厚さ方向に挟持して互いに固定するフック等を用いてもよい。
【００５３】
・上記実施形態において、固定部材２１及びフレーム３０の形状・構成は、一例であり適宜変更してもよい。例えば、フレーム３０の形状は、フレーム３０が固定部材２１の開口部側から挿入可能であり、フレーム３０の一部が固定部材２１内に収容保持される形状であれば適宜変更してもよい。
【００５４】
・上記実施形態において、フレーム３０及び固定部材２１の材料は、ステンレス鋼に限らず、他の金属や樹脂等で構成してもよい。
・上記実施形態において、背面部２２，３２の形状は、一例であり、平面視正方形状や円形状等の他の形状に適宜変更してもよい。
【００５５】
・上記実施形態において、背面部２２の主面に形成したパネル保持部２３，２４の位置を適宜変更した構成としてもよい。また、同様に、背面部３２の主面における有機ＥＬ保持部３３，３４の位置を適宜変更してもよい。
【００５６】
・上記実施形態において、固定部材２１からのフレーム３０の取り外しを補助する機構等を設けてもよい。例えば、固定部材２１の一部に切欠き部を設けて取り外しのための器具等が挿入し易い構成としてもよい。
【００５７】
・上記実施形態において、カバー部材３１を樹脂や金属で構成してもよい。また、カバー部材３１は、半透明状に限らず、例えば、壁１１ａに応じた色や模様で構成して意匠性を高めた構成としてもよい。
【００５８】
・上記実施形態において、カバー部材３１は、開口部３５が形成されていなくともよい。また、例えば、透光性を有する平板に文字や記号等を表記し、その平板をカバー部材として用いるようにしてもよい。
【００５９】
・上記実施形態において、発光パネル４１の発光面側がフレーム３０の背面部３２側となる構成としてもよい。この場合、例えば、背面部３２に発光パネル４１の発光部分に応じた開口部を形成してもよい。
【００６０】
・上記実施形態では、カバー部材３１は、フレーム３０に対して接着固定されていたが、これに限定されない。例えば、カバー部材３１に爪部を設けて、この爪部を係止させる貫通孔をパネル保持部２３，２４側に設けて、カバー部材３１を固定部材２１に対して係止させて固定してもよい。
【００６１】
・上記実施形態において、カバー部材３１は、第２段差部３８ｂ，３９ｂを省略した構成としてもよい。
・上記実施形態において、発光パネル４１を、保護フレーム４２の嵌合部４９に嵌合させない構成としてもよい。この場合、発光パネル４１の取り外し（交換）が容易となる。
【００６２】
・上記実施形態において、発光パネル４１を保護フレーム４２に接着固定してもよい。
・上記実施形態において、照明装置１０を取付ける被取付け部は、壁１１ａ以外でもよい。例えば、照明装置１０を、床１１ｄ（図１参照）に取付ける構成としてもよい。また、被取付け部の部材、構成等に応じて固定部材２１を被取付け部に取付ける構成を適宜変更してもよい。
【００６３】
・上記実施形態において、各部材の形状、材質、構成等を適宜変更してもよい。例えば、照明用パネル１２は、カバー部材３１を省略した構成としてもよい。また、例えば、発光モジュール４０は、保護フレーム４２を省略した構成としてもよい。また、例えば、発光パネル４１は、接続基板４６，４７を省略した構成としてもよい。また、例えば、保護フレーム４２は、側面保護部４２ｃを省略した構成としてもよい。
【００６４】
・外部電源として直流電源を用いてもよい。この場合、図２に示す駆動回路１５を、直流電源に対応するものとすることはいうまでもない。
【符号の説明】
【００６５】
１０，６１，６１ａ…照明装置、１２…照明用パネル、２１…固定部材、２２，３２…背面部、２３，２４…パネル保持部、２３ａ，２４ａ，３３ａ，３４ａ…支持部、２３ｂ，２４ｂ，３３ｂ，３４ｂ…係合部、３０…フレーム、３１…カバー部材、３３，３４…有機ＥＬ保持部、３８，３９…段差部、４０…発光モジュール、４１…発光パネル、４２…保護フレーム、４２ａ…背面保護部、４２ｂ，４２ｃ…側面保護部、４５…有機ＥＬ素子、４９…嵌合部、Ｌ１…長さ、Ｌ２…距離。
【図１】
2013149534.tif 000003
【図２】
2013149534.tif 000004
【図３】
2013149534.tif 000005
【図４】
2013149534.tif 000006
【図５】
2013149534.tif 000007
【図６】
2013149534.tif 000008
【図７】
2013149534.tif 000009